(57)【要約】      （修正有）【課題】患者が両足を開脚した場合でも両足を確実に被覆可能なものとし、患者に負担を強いることなく良好なドレープの装着状態を維持するとともに、患者の両足間に位置する医師が作業を円滑に行うことができるサージカルドレープを提供する。【解決手段】平布にて形成したドレープ本体１に患部を露出可能とする開口部２、３を配置したものにおいて、上記ドレープ本体１の下端側に、先端１２を弧状に切欠いたスリット１１を設けることにより、患者の２本の足を個別に被覆可能とする一対の足部被覆片４、５を形成するとともに、この一対の足部被覆片４、５の互いに対向する一側１３、１４に一方補助片１５と他方補助片１６とをそれぞれ設け、この一方補助片１５と他方補助片１６とをスリット１１の先端１２側で連続させて、患者の両足間に垂下可能とする。【選択図】図１
0003179904.tif 000002
【実用新案登録請求の範囲】
【請求項１】
平布にて形成したドレープ本体に患部を露出可能とする開口部を配置したものにおいて、上記ドレープ本体の下端側に、先端を弧状に切欠いたスリットを設けることにより、患者の２本の足を個別に被覆可能とする一対の足部被覆片を形成するとともに、この一対の足部被覆片の互いに対向する一側に一方補助片と他方補助片とをそれぞれ設け、この一方補助片と他方補助片とをスリットの先端側で連続させて、患者の両足間に垂下可能としたことを特徴とするサージカルドレープ。
【考案の詳細な説明】
【技術分野】
【０００１】
本考案は、手術の際に患者に被覆するサージカルドレープに関するものである。
【背景技術】
【０００２】
従来より、外科、泌尿器科、産婦人科の手術では、開脚位や砕石位等のように、患者が足を開く体位をとる場合が多い。そのため、従来より一般的に使用されている長方形状のドレープを使用すると、ドレープの両側から開脚した足部が露出するため清潔を保っていた術野外周にドレープによって遮蔽されない不潔部分が生じるものとなり、感染リスクが増加する。そこで、上記の如く開脚位や砕石位で手術を行う際のドレープとして、特許文献１に示す如くドレープの足部被覆側に直線的なスリットを設けて２分割し、これにより形成された一対の足部被覆片を患者の各足に個別に被覆するものが公知となっている。
【先行技術文献】
【特許文献】
【０００３】
【特許文献１】特開２００９−１１８９３４号公報
【考案の開示】
【考案が解決しようとする課題】
【０００４】
しかしながら、上記の如くドレープに単に直線的なスリットを入れたものについては洗濯した際にスリットの先端部分からドレープが裂ける事態が生じ易く、洗濯によるドレープの破損が問題となっていた。そのため、スリットの先端部分を弧状に切欠き形成することにより、洗濯時のスリット先端部分の破損を防止することができることが知られている。
【０００５】
しかしながら、スリットの先端を弧状に切欠いた場合には、ドレープの使用時において弧状の先端部分からドレープ内の患者の術野以外の部分が露出したり見えやすいものとなるため、医師や看護師等に不潔な印象を与えたり、術野の清潔を保つことが困難となる場合があった。また、ドレープに直線的なスリットをいれただけのものは、患者、医師、看護師等の動きにより患者の足が露出しやすいものとなり、被覆効果が完全なものではなかった。
【０００６】
そこで、本考案は上述の如き課題を解決しようとするものであって、スリットの先端を弧状に切欠いて、洗濯時のスリット先端部分の破損を防止しドレープの繰り返しの使用を可能とするとともに、弧状の先端部分から患者の体が露出したり見えたりすることなく、医師や看護師に不潔な印象を与えずに術野の清潔状態を確実に保持することのできるサージカルドレープを得ようとするものである。
【課題を解決するための手段】
【０００７】
本考案は上述の如き課題を解決するため、平布にて形成したドレープ本体に患部を露出可能とする開口部を配置したものにおいて、上記ドレープ本体の下端側に、先端を弧状に切欠いたスリットを設けることにより、患者の２本の足を個別に被覆可能とする一対の足部被覆片を形成するとともに、この一対の足部被覆片の互いに対向する一側に一方補助片と他方補助片とをそれぞれ設け、この一方補助片と他方補助片とをスリットの先端側で連続させて、患者の両足間に垂下可能としたものである。
【考案の効果】
【０００８】
本考案は上述の如く構成したものであって、スリットの先端を弧状に切欠くことにより、洗濯してもスリットの先端が裂ける事態が生じにくくサージカルドレープの繰り返しの使用が可能となり、コストを低減することが可能となる。また、一対の足部被覆片の互いに対向する一側に一方補助片と他方補助片とをそれぞれ設け、この一方補助片と他方補助片とをスリットの先端側で連続させているため、スリットの先端側からサージカルドレープ内の患者の体が見えたり露出する等の事態を防ぐことができる。従って、術野の清潔を保つ効果を更に高めることができる。
【図面の簡単な説明】
【０００９】
【図１】本考案の実施例１を示す平面図。
【図２】実施例１及び２の使用状態を示す概念図。
【実施例１】
【００１０】
本考案の実施例１について説明すると、本実施例のサージカルドレープは、外科の腹会陰式直腸切除術、低位前方切除術、Ｓ状結腸切除術、腹腔鏡補助下結腸切除術、泌尿器科の膀胱全摘出術、回腸導管造設術、前立腺全摘出術、産婦人科の腹式帝王切開術、腹式単純子宮全摘出術、広汎性子宮全摘出術、腹腔鏡下婦人科手術等に使用するものであって、図１に示す如く、ドレープ本体(1)に第１開口部(2)及び第２開口部(3)を形成するとともに、一対の足部被覆片(4)(5)を形成したものである。尚、本実施例では、ドレープ本体
(1)において、患者の頭部を被覆する側を上方とするとともに、患者の足部を被覆する側
を下方としている。
【００１１】
本実施例のサージカルドレープについて以下に詳細に説明すると、(1)はドレープ本体であって、平布にて形成している。このように平布にて形成することにより、洗濯後の折り畳みが容易となり折り畳み作業を円滑に行うことができる。また、使用時には折り畳んだサージカルドレープを容易且つスムーズに患者に被覆することができるため、手術を迅速に開始することが可能となる。
【００１２】
そして、図１に示す如く、患者の頭部から腹部側を患者の左右方向に幅広な長方形状の上部布(6)を配置するとともに、腹部から足部側には患者の身長方向に長尺で上記上部布(6)よりも幅狭な長方形状の下部布(7)を配置している。尚、本実施例のドレープ本体(1)はポリエステル長繊維製であって、通気性及び撥水性を有している部分と親水性でありながら防水性を有している部分とから成り、洗浄することによって再使用可能なものである。また、上記ポリエステル長繊維は不織布の場合と比較して燃えにくく、手術で使用する電気メス等の火花によりサージカルドレープに穴が開いて燃え広がる危険性が少ないものとなる。
【００１３】
そして、上記の如きドレープ本体(1)の中央部には、略長方形の第１開口部(2)を開口形成しており、この第１開口部(2)は、患者の腹部の術野を露出可能とするものである。また、この第１開口部(2)とは間隔を介した下方に第２開口部(3)を形成している。この第２開口部(3)は、患者の腹部の術野に第１開口部(2)を配置した状態で、患者の陰部及び／又は肛門部の術野に配置して術野を露出可能としている。
【００１４】
また、上記第２開口部(3)の外周には裏面の防水シート(図示せず。)を貼り合わせた緩衝シート(8)を配置している。この緩衝シート(8)は、図１に示す如く略長方形に形成したものであって、第２開口部(3)の配置側の縁部、及び第２開口部(3)の外周縁をドレープ本体(1)に縫い付けるとともに、第２開口部(3)の下方をドレープ本体(1)とは分離した分離片(10)としている。
【００１５】
そして、この緩衝シート(8)の表面を織りによって凹凸に形成しており、これにより、第２開口部(3)から洗浄水、血液、体液等を排出する際に、排出された液体が上記緩衝シート(8)によって緩衝されやすいものとなる。そのため、第２開口部(3)の周囲で洗浄水、血液、体液などの跳ね返りが生じにくいものとなり、手術時の汚染や感染防止を保つことが可能となる。尚、裏側に防水シートを貼り合わせており、この防水シートの存在により排出された液体が裏面に浸透することがないため、感染防止の効果を更に高めることができる。
【００１６】
また、図１に示す如く、ドレープ本体(1)の下端から第２開口部(3)の下方にかけてスリット(11)を形成し、ドレープ本体(1)の下端側を分離して一対の足部被覆片(4)(5)を形成している。また図１に示す如く、このスリット(11)の第２開口部(3)側に位置する先端(12)を弧状に切欠き形成している。このようにスリット(11)の先端(12)を弧状に切欠くことにより、洗濯によってスリット(11)の先端(12)が裂けるという事態が生じにくいものとなる。従って、サージカルドレープの繰り返しの使用を確実に行うことができる。
【００１７】
そして、この足部被覆片(4)(5)のスリット(11)側の一側(13)(14)にドレープ本体(1)とは別部材にて形成した一方補助片(15)と他方補助片(16)とをそれぞれ個別に延設している。この一方及び他方補助片(15)(16)は、図１に示す如くその形成長さを足部被覆片(4)(5)の形成長さとほぼ同一とするとともに、形成幅を足部被覆片(4)(5)の形成幅よりもやや幅狭なものとしている。
【００１８】
尚、上記足部被覆片(4)(5)及び一方補助片(15)、他方補助片(16)は、第１開口部(2)及び第２開口部(3)を腹部、及び陰部／肛門部の術野に臨ませて各々配置した状態で、患者の足部を完全に被覆可能とする形成長さとしている。
【００１９】
上記の如く一対の足部被覆片(4)(5)に一方補助片(15)、他方補助片(16)を各々個別に延設することにより、ドレープ本体(1)の各足を被覆する部分の面積を広いものとすることができる。そのため、図２に示す如く患者が開脚位や砕石位をとった場合でも開脚した足が露出することなく、ドレープの装着状態を良好に維持して清潔を保つことができる。
【００２０】
また、一方及び他方補助片(15)(16)は、上記の如く足部被覆片(4)(5)の一側(13)(14)に沿って配置したものであるから、患者の左右の足に分離して配置することができる。そのため、患者の両足の間にまたがってドレープが広がりスペースを確保できないという事態が生じることなく、両足間に広いスペースを確保することができる。従って、患者の両足間に位置して手術を行う医師は、ドレープに煩わされることなく患者の術野に近接して作業を円滑に行うことが可能となる。
【００２１】
また、上記の如く形成した一方補助片(15)と他方補助片(16)とをスリット(11)の先端(12)側で連続させて連続部(17)を形成している。このように一方補助片(15)と他方補助片(16)とをスリット(11)の先端(12)側で連続させることにより、スリット(11)の先端(12)側から患者の体が見えたり露出する等の事態を防ぐことができる。そのため、術野の清潔を保持する効果を更に高めることが可能となる。
【００２２】
また、図１に示す如く一方補助片(15)と他方補助片(16)とをスリット(11)に沿って一定幅にて形成配置するとともに、一方補助片(15)と他方補助片(16)との連続部(17)をスリット(11)の先端(12)形状に沿って弧状に形成している。
【００２３】
上記の如く一方補助片(15)及び他方補助片(16)をスリット(11)に沿って形成配置することにより、スリット(11)の先端(12)位置に連続部(17)の布を十分に行き渡らせることができるため、スリット(11)を大きく拡開した場合でも連続部(17)の布がひきつることなく連続部(17)をスリット(11)の形状に沿って配置することができる。よって、スリット(11)の先端(12)からドレープの内方を連続部(17)にて確実に被覆することが可能となる。
【００２４】
上記の如く構成したものを使用する場合には、まず、ドレープを患者に被覆するとともに第１開口部(2)を患者の腹部の術野に臨ませて配置する。そして、両面テープにて第１開口部(2)の外周を患者の皮膚に貼り付け固定することにより、より安全に術野の確保を行うことができる。尚、上記の如く第1開口部(2)の外周を両面テープにて貼り付け固定しなくても、本実施例のサージカルドレープを使用することはできる。そして、ドレープ本体(1)の上方を患者の頭部側に被覆するとともに、一対の足部被覆片(4)(5)及び一方補助片(15)、他方補助片(16)を患者の両足にそれぞれ被覆する。次に、第２開口部(3)を患者の陰部／肛門部の術野に臨ませて配置する。
【符号の説明】
【００２５】
１  ドレープ本体 
２  第１開口部
３  第２開口部
４  足部被覆片
５  足部被覆片
１１  スリット
１２  先端
１３  一側
１４  一側
１５  一方補助片
１６  他方補助片
【図１】
0003179904.tif 000003
【図２】
0003179904.tif 000004